(57)【要約】【課題】非常に大型の表示装置を使用して、大型の表示装置近傍で表示装置に情報を入力する場合や表示内容を説明する場合に、操作者がガイダンス表示されていることに気がつき易くするガイダンス表示装置を提供する。【解決手段】ガイダンス情報を表示可能な表示画面と、前記表示画面上に情報を入力する入力部と、前記入力部によって情報が入力された入力位置を検出する入力位置検出部と、前記入力位置検出部によって検出された入力位置に前記ガイダンス情報を表示するガイダンス表示制御部とを備える。【選択図】図１
2009198815.tif 000002
【特許請求の範囲】
【請求項１】
ガイダンス情報を表示可能な表示画面と、
前記表示画面上に情報を入力する入力部と、
前記入力部によって情報が入力された入力位置を検出する入力位置検出部と、
前記入力位置検出部によって検出された入力位置に前記ガイダンス情報を表示するガイダンス表示制御部と
を備える情報処理装置のガイダンス表示装置。
【請求項２】
前記ガイダンス表示部は、前記入力位置検出部によって検出された最新の入力位置にガイダンスを表示する請求項１に記載の情報処理装置のガイダンス表示装置。
【請求項３】
ガイダンス情報を表示可能な表示画面と、
前記表示画面前の操作者位置を検出する操作者検出部と、
前記操作者検出部によって検出された位置の近傍の表示画面に前記ガイダンス情報を表示するガイダンス表示制御部と
を備える情報処理装置のガイダンス表示装置。
【請求項４】
前記操作者検出部は、光学センサーまたは音センサーである請求項３に記載の情報処理装置のガイダンス表示装置。
【請求項５】
更に、ガイダンス情報表示領域が画面よりはみ出るか否かの判断を行う判断部を備え、前記判断部による判断が前記ガイダンス情報表示領域の少なくとも一部が前記画面サイズからはみ出るとの判断をすることにより、ガイダンス情報表示領域を画面サイズからはみ出ない位置に変更する表示位置決定部を備える請求項１または３に記載の情報処理装置のガイダンス表示装置。
【発明の詳細な説明】
【技術分野】
【０００１】
本発明は、表示画面上に、情報処理装置のガイダンス情報を表示するガイダンス表示装置に関し、特に操作者がガイダンス表示されていることに気がつき易くするガイダンス表示装置に関する。
【背景技術】
【０００２】
パソコンの画面上に情報処理装置の操作指示・案内或いは機能解説、または告知、アラート或いは警告などのガイダンス情報を表示することは公知である。
例えば、特許文献１は、ガイダンス情報を表示するポップアップ画面の表示位置を自動決定するガイダンス表示装置を開示している。より詳細には、ガイダンス表示要求があると、表示画面に表示している画面表示状態に基づいてポップアップ画面の表示位置を自動決定し、現在表示中の画面操作に支障を与えないように表示するものである。即ち、現在表示されている画面の情報において、連続して最も大きな未表示領域をＶＲＡＭ中を調べて、ポップアップ画面の表示位置を決定し、その決定したポップアップ画面位置にガイダンス情報を表示するものである。またこの特許文献１は、ポップアップ画面をキー入力により指定方向に移動させること、または消去することも開示している。
また、特許文献２は、ディスプレイ装置の前方に存在する操作者の位置を検出センサーにより検出し、検出センサーの出力に基づき予め定められた基準位置からの変位に応じてディスプレイ装置に表示される映像内容を変更する表示装置を開示している。
【特許文献１】特開平０４−１６０５２８号公報
【特許文献２】特開平１０−２０８０７５号公報
【発明の開示】
【発明が解決しようとする課題】
【０００３】
特許文献１は、現在表示中の画面操作に支障を与えないようにポップアップ画面位置を決定するものである。また特許文献２は、操作者の位置に応じて映像内容を変更するものである。実施例の説明では、操作者の移動に合わせて３次元映像が変更されるものである。
従来の表示装置の画面は、数１０ｃｍ×数１０ｃｍ程度の大きさである。このような大きさの画面では、操作者はガイダンス情報がどの位置に表示されてもほぼ見逃すことがなく、ガイダンス表示に気がつくことができる。しかし、例えば５０ｃｍ×５０ｃｍ〜２ｍ×２ｍのように非常に大型の表示装置を使用して、会議、講演会、説明会等で説明を行うため、大型の表示装置近傍で表示装置に情報を入力する場合や表示内容を指示し、説明する場合に、操作者の位置や目線方向によってはガイダンス情報に気がつかないことがある。即ち、ガイダンス表示位置が常に画面中央または左側や右側のように固定されている場合、または特許文献１のように連続して最も大きな未表示領域に表示する場合は、操作者の位置や目線方向によっては認識されないことがある。
本発明は、上記のような課題を解決するものであり、操作者がガイダンス表示されていることに気がつき易くする情報処理装置のガイダンス表示装置を提供するものである。
【課題を解決するための手段】
【０００４】
本発明の情報処理装置のガイダンス表示装置は、上記課題を解決するため、ガイダンス情報を表示可能な表示画面と、前記表示画面上に情報を入力する入力部と、前記入力部によって情報が入力された入力位置を検出する入力位置検出部と、前記入力位置検出部によって検出された入力位置に前記ガイダンス情報を表示するガイダンス表示制御部とを備える。
これにより、操作者はガイダンス表示に素早く気がつき、ガイダンス情報を見ることができる。
【０００５】
本発明の情報処理装置のガイダンス表示装置は、実施形態において、前記ガイダンス表示部は、前記入力位置検出部によって検出された最新の入力位置にガイダンスを表示するものである。
これにより、操作者はガイダンス表示に素早く気がつき、ガイダンス情報を見ることができる。
【０００６】
本発明の情報処理装置のガイダンス表示装置は、上記課題を解決するため、ガイダンス情報を表示可能な表示画面と、前記表示画面前の操作者位置を検出する操作者検出部と、前記操作者検出部によって検出された位置の近傍の表示画面に前記ガイダンス情報を表示するガイダンス表示制御部とを備える。
これにより、操作者が存在する位置にガイダンス表示することができ、素早くガイダンス情報を見ることができる。
【０００７】
本発明の情報処理装置のガイダンス表示装置は、実施形態において、前記操作者検出部が光学センサーまたは音センサーである。
これにより、操作者を検出して、操作者にガイダンス情報を見せることができる。
【０００８】
本発明の情報処理装置のガイダンス表示装置は、実施形態において、更に、ガイダンス情報表示領域が画面よりはみ出るか否かの判断部を備え、前記判断部による判断が前記ガイダンス情報表示領域の少なくとも一部が前記画面サイズからはみ出るとの判断をすることにより、ガイダンス情報表示領域を画面サイズからはみ出ない位置に変更する表示位置決定部を備える。
これにより、ガイダンス情報が全部画面上に表示され、ガイダンス情報を全部見せることができる。
【発明の効果】
【０００９】
本発明によれば、操作者はガイダンス表示に素早く気がつき、ガイダンス情報を見ることができる。また操作者が存在する位置にガイダンス表示することができ、素早くガイダンス情報を見ることができる。
【発明を実施するための最良の形態】
【００１０】
（実施形態１）
図１は本発明の実施形態１の情報処理装置のガイダンス表示装置の構成図を示す。
情報処理装置のガイダンス表示装置１０は、表示装置１と、処理装置２と、主記憶装置３と、補助記憶装置４と、入力装置５を備える。
上記表示装置１は、代表的には液晶表示装置であるが、その他にプラズマ表示装置、有機ＥＬ表示装置などであってもよい。本発明の情報処理装置のガイダンス表示装置１０では、表示装置１としては、例えば５０ｃｍ×５０ｃｍ〜２ｍ×２ｍ、或いはそれ以上のように非常に大型の表示画面を有する。表示装置１は１つの表示画面が上記のように大型画面であってもよいが、小型画面を集合して、上記のような大型画面とするような表示装置であってもかまわない。この表示装置は画面上にタッチパネルを備えるのが好ましい。
【００１１】
処理装置２は、情報処理装置のガイダンス表示装置１０の主要処理部を構成し、表示駆動部２１と、制御部２２と、表示位置決定部２３と、操作位置検出部２４と、定型文記憶部２５と、ガイダンス生成部２６と、サイズ比較部２７と、画面サイズ記憶部２８を備える。
表示駆動部２１は、上記表示装置１を駆動する部分であり、映像情報及びガイダンス情報を表示装置１に表示するための駆動信号を生成する。
制御部２２は、例えばＣＰＵよりなり、情報処理装置のガイダンス表示装置の制御プラグラムを読み出して、そのプログラムに従い各構成部分を順次制御する。
表示位置決定部２３は、ガイダンス情報を表示するポップアップ画面またはウンドウ（以下、ガイダンス情報表示領域という）を開く位置を決定する部分である。ガイダンス情報表示領域の表示位置については後述する。
操作位置検出部２４は、操作者が表示装置の画面上のどの位置を操作しているか検出する部分である。即ち、入力装置により表示装置上のどの位置に入力中であるかを検出する。
定型文記憶部２５は、このガイダンス表示装置１０に表示する定型のガイダンス情報を記憶する部分である。例えば、ガイダンス情報としては、情報処理装置の操作指示、操作案内或いは機能解説である。または告知情報、アラート或いは警告などである。ここに示したガイダンス情報は例示であり、この他のガイダンス情報であってもよい。
ガイダンス生成部２６は、上記定型文記憶部２５に記憶されたガイダンス情報を基にして、ガイダンス情報を生成する部分である。
サイズ比較部２７は、ガイダンス情報を表示するガイダンス情報表示領域の大きさと、表示装置１の画面の大きさを比較し、ガイダンス情報が画面内に表示されるようにする部分である。即ち、画面サイズとガイダンス情報表示領域の大きさを比較し、ガイダンス情報表示領域の少なくとも一部が画面サイズからはみ出るとき、ガイダンス情報表示領域を画面サイズからはみ出ない位置に変更する。
画面サイズ記憶部２８は、表示装置１の画面サイズを記憶する部分である。
情報処理装置のガイダンス表示装置１０は、以上のような各部分を備えるが、情報処理装置のために適宜処理機能部分を備えるとよい。
【００１２】
記憶装置３は、ＲＡＭ、ハードディスクやフラッシュメモリなどよりなり、情報処理装置のワーク領域として使用する。
補助記憶装置４は、ＲＯＭ，ハードディスクやフラッシュメモリなどよりなり、情報処理装置のアプリケーションやＯＳ等のソフトウエアを格納する。本発明のガイダンス表示装置のアプリケーション４１も備える。
入力装置５は、マウス、キーボード、タッチパネルなどであり、データ入力や操作情報を入力する。このガイダンス表示装置はタッチパネルを装着しているので、タッチパネルも入力装置の一つとする。
【００１３】
図１に示した情報処理装置のガイダンス表示装置は、例えば図２に示すようにして使用する。図２は、表示画面Ａを示し、この表示画面Ａに対して操作者Ｂは入力を行っている。この表示装置は、例えば５０ｃｍ×５０ｃｍ〜２ｍ×２ｍ、或いはそれ以上のように、人間と同等またはそれ以上の非常に大型の表示画面を有する。今、操作者Ｂは、会議、講演会、説明会のため表示画面Ａの右側に位置し、表示画面Ａを見ながら、画面右側部分に情報入力または表示内容を指示している。この表示装置はタッチパネルを装着しているので、操作者が情報入力している箇所または指示している箇所は、図１に示した操作位置検出部２４によって検出される。
このように、操作者Ｂが表示画面Ａに情報入力または表示内容を指示しているとき、ガイダンス情報Ｃを情報入力箇所または指示箇所に表示する。またはガイダンス情報Ｃを情報入力箇所または指示箇所の近傍に表示する。
【００１４】
次に図１に示した情報処理装置のガイダンス表示装置１０の動作を図３に示すフローチャートにより説明する。
情報処理装置が動作を開始すると、ステップＳ１で、ガイダンス表示装置１０のアプリケーションが起動され、ガイダンス表示装置１０は動作状態になる。次にステップＳ２で、画面への入力があるか否か判定する。画面への入力の有無は、画面上に装着したタッチパネルに入力があるか否かにより判定する。或いはキーボード、マウスにより入力があるか否か判定する。入力がある場合は、ステップＳ７に進み、操作位置検出部２４が入力位置を検出し、その位置を記憶する。入力位置は画面上のＸ方向及びＹ方向の座標によって記憶する。
上記ステップＳ２で入力がない場合、また上記ステップＳ７の処理後、ステップＳ３に進み、アプリケーション処理を実行する。次のステップＳ４では、新規事象が発生しガイダンス表示が必要か否か判定する。即ち、新たに操作が開始されたか、所定の時間経過により、または通信により新規事象が発生した場合、ガイダンス表示装置のシステム（ＯＳ）やアプリケーションからガイダンス表示の要求があるか否か判定する。
【００１５】
ガイダンス表示の要求がない場合、ステップＳ５に進み、ガイダンス情報を表示中か否か判定する。表示中でなければ、ステップＳ６で、このフローを終了するか否か判断する。終了する場合は、終了のステップへ進み、このフローを終了する。ステップＳ６で、終了でない場合は、ステップＳ２に戻る。
ステップＳ５で、ガイダンス情報を表示中である場合は、ステップＳ１２に進み、ガイダンス情報の表示を解除するか否か判断する。ガイダンス表示を解除する場合は、ステップＳ１３で、ガイダンス表示解除の処理を実行する。そして、ステップＳ２に戻る。上記ステップＳ１２で、ガイダンス表示を解除しない場合は、ステップＳ６を経て、このフローの処理を終了するか、またはステップＳ２に戻る。
【００１６】
上記ステップＳ４において、新規事象が発生した場合、情報処理装置の操作指示、操作案内或いは機能解説、または告知情報、アラート或いは警告などのガイダンス情報を生成する。次にステップＳ９に進み、新規事象の発生直前の入力位置を呼出す。即ちステップＳ７で操作位置検出部２４に記憶した最終の入力座標を呼出す。そして、ステップＳ１０で、ガイダンス情報表示領域の表示位置を決定する。このとき、入力座標位置にガイダンス情報表示領域の先頭位置または中央位置を合わせる。
ガイダンス情報の表示位置は、ガイダンス情報表示領域の大きさと、画面サイズ記憶部２８に記憶している画面サイズをサイズ比較部２７が比較して、ガイダンス情報表示領域が画面サイズ内であるか、否かによって決定する。即ち、ガイダンス情報表示領域が全部画面サイズ内にある場合は、ガイダンス情報が全部表示されるので、次のステップＳ１１に進む。しかし、ガイダンス情報表示領域の少なくとも一部が画面サイズよりはみ出す場合は、制御部２２が表示位置決定部２３を動作させ、ガイダンス情報表示領域が画面サイズ内になるように、ガイダンス情報表示領域の位置を変更する。
ステップＳ１１では、上記ステップＳ１０で決定された表示位置にガイダンス情報を表示するように、制御部２２と表示駆動部２１が動作し、表示装置にガイダンス情報を表示する。その後、ステップＳ２に戻る。
【００１７】
（実施形態２）
実施形態２は、操作者の位置を検出して、操作者の近傍位置にガイダンス情報を表示するものである。
図４は実施形態２の構成図を示す。実施形態２は操作者空間的位置検出部６を備え、また処理装置２の内部に操作者位置判定部３１を備える。その他は図１に示した構成と同じである。
実施形態２では、図５に示すように操作者空間的位置検出部６は表示画面Ａの上方中央部付近に設けられる。操作者空間的位置検出部６は、例えばＣＣＤカメラ、ラインセンサー、赤外線センサーまたは音センサーであり、ＣＣＤカメラまたはラインセンサーによって表示画面の近くにいる操作者Ｂを撮影し、撮影画像から操作者Ｂの位置を検出する。また赤外線センサーまたは音センサーによって操作者の位置を検出する。図５（ａ）に示した例では、操作者Ｂは表示画面Ａの左側にいるので、ガイダンス情報Ｃ１は表示画面Ａの左側に表示される。また操作者が気がつきやすいように、目の高さ位置に表示する。図５（ｂ）に示した例では、操作者Ｂは表示画面Ａの右側にいるので、ガイダンス情報Ｃ２は表示画面Ａの右側に、目の高さ位置に表示される。
【００１８】
実施形態２の情報処理装置のガイダンス表示装置１０は、図６に示すフローチャートのように処理される。
情報処理装置が動作を開始すると、ステップＳ１で、情報処理装置のアプリケーションが起動され、次にステップＳ２１で、アプリケーション処理を実行する。実施形態２は画面への入力位置を検出しない場合であるので、実施形態１のステップＳ２及びＳ７は不要である。そして、ステップＳ４、Ｓ５、Ｓ６、Ｓ１２、Ｓ１３は、実施形態１の各ステップと同じである。
【００１９】
上記ステップＳ４において、新規事象が発生した場合、ステップＳ２３に進み、ガイダンス生成部２６は、情報処理装置の操作指示、操作案内或いは機能解説、または告知情報、アラート或いは警告などのガイダンス情報を生成する。次にステップＳ２４に進み、操作者空間的位置検出部６が操作者を撮影し、その撮影画像から操作者の位置を検出する。または赤外線センサーあるいは音センサーにより操作者の位置を検出する。次にステップＳ２５では操作者を検出したか否か判定する。操作者を検出した場合は、ステップＳ２６へ進み、操作者に近い位置にガイダンス情報表示領域の表示位置を設定する。この場合、操作者の目に近い位置が望ましい。このとき、操作者に近い位置にガイダンス情報表示領域の先頭位置または中央位置を合わせる。
しかし、操作者を検出できない場合は、または操作者がいない場合は、ステップＳ２８に進み、予め定められた位置、例えば画面中央をガイダンス表示位置に設定する。
【００２０】
ステップＳ２６において、ガイダンス表示位置を設定する場合、ガイダンス情報表示領域の大きさと、画面サイズ記憶部２８に記憶している画面サイズをサイズ比較部２７が比較して、ガイダンス情報表示領域が画面サイズ内であるか比較する。ガイダンス情報表示領域が全部画面サイズ内にある場合は、ガイダンス情報が全部表示されるので、次のステップＳ２７に進む。しかし、ガイダンス情報表示領域の少なくとも一部が画面サイズよりはみ出す場合は、制御部２２が表示位置決定部２３を動作させ、ガイダンス情報表示領域が画面サイズ内になるように、ガイダンス情報表示領域の位置を変更する。
ステップＳ２８で、ガイダンス表示位置が画面中央である場合、ガイダンス情報表示領域は画面サイズ内に表示されるように設定されているので、ガイダンス情報表示領域と画面サイズを比較する必要はない。しかし、もしガイダンス情報表示領域が画面サイズからはみ出る場合は、ステップＳ２６と同様にしてガイダンス情報表示領域の位置を変更し、ガイダンス情報表示領域が画面サイズ内になるように決定する。
ステップＳ２７では、上記ステップＳ２６またはステップＳ２８で決定された表示位置にガイダンス情報を表示するように、制御部２２と表示駆動部２１が動作し、ガイダンス表示装置にガイダンス情報を表示する。その後、ステップＳ２１に戻る。
【００２１】
上記フローチャートのステップＳ２６で、ガイダンス表示位置を決定する動作を図７のフローチャートにより説明する。
先ず、ステップＳ３１で、ガイダンス情報表示領域の横方向位置を決定する。即ちステップＳ２４で検出した操作者の位置と、表示画面の水平方向の位置との距離が最短になる、表示画面内の水平方向位置をガイダンス情報表示領域のＸ座標とする。次にステップＳ３２で、ガイダンス情報表示領域の縦方向位置を決定する。日本人の平均身長から得られる一般的操作者の目の高さ位置と、表示画面の垂直方向の位置との距離が最短となる、表示画面内の垂直方向の位置を、ガイダンス情報表示領域のＹ座標とする。
次にステップＳ３３で、ガイダンス情報表示領域の表示サイズを取得する。そして、ステップＳ３４で、ガイダンス情報表示領域が画面サイズ内にあるか否か判定する。ガイダンス情報表示領域が画面サイズ内であり、はみ出さない場合は、このフローを終了する。しかし、はみ出す場合は、ステップＳ２５で、ガイダンス情報表示領域の位置を補正する。例えば、ガイダンス情報表示領域の座標が表示画面の左上座標である場合は、下記式（１）、（２）のように補正する。
Ｘ＋ＣＸ＞Ｗ    であれば、Ｘ←Ｗ−ＣＸ  ・・・（１）
Ｙ＋ＣＹ＞Ｈ    であれば、Ｙ←Ｈ−ＣＴ  ・・・（２）
ここで、Ｘは、ガイダンス情報表示領域のＸ方向の位置座標、
ＣＸは、ガイダンス情報表示領域のＸ方向サイズ、
Ｙは、ガイダンス情報表示領域のＹ方向の位置座標、
ＣＹは、ガイダンス情報表示領域のＹ方向サイズ、
Ｗは、表示画面のＸ方向サイズ、
Ｈは、表示画面のＹ方向サイズ
【００２２】
上記式（１）（２）に示すように、ガイダンス情報表示領域のＸ方向の位置座標Ｘが，表示画面のＸ方向サイズＷとガイダンス情報表示領域のＸ方向サイズＣＸの差以下になるようにする。同様にガイダンス情報表示領域のＹ方向の位置座標Ｙが，表示画面のＹ方向サイズＷとガイダンス情報表示領域のＹ方向サイズＣＹの差以下になるようにする。これにより、ガイダンス表示を表示画面からはみ出さないようにできる。
【図面の簡単な説明】
【００２３】
【図１】本発明の実施形態１の情報処理装置のガイダンス表示装置の構成図を示す。
【図２】実施形態１のガイダンス表示装置によってガイダンス情報が表示される状態を説明する図を示す。
【図３】実施形態1のフローチャート図を示す。
【図４】本発明の実施形態２の情報処理装置のガイダンス表示装置の構成図を示す。
【図５】実施形態２のガイダンス表示装置によってガイダンス情報が表示される状態を説明する図を示す。
【図６】実施形態２のフローチャート図を示す。
【図７】実施形態２において、ガイダンス情報表示領域を補正するフローチャート図を示す。
【符号の説明】
【００２４】
１  表示装置
２  処理装置
３  補助記憶装置
４  主記憶装置
５  入力装置
６  操作者空間的位置検出装置
２２  制御部
２３  表示位置決定部
２４  操作位置検出部
２６  ガイダンス生成部
２７  比較部
２８  画面サイズ記憶部
３１  操作者空間的位置検出装置
【図１】
2009198815.tif 000003
【図２】
2009198815.tif 000004
【図３】
2009198815.tif 000005
【図４】
2009198815.tif 000006
【図５】
2009198815.tif 000007
【図６】
2009198815.tif 000008
【図７】
2009198815.tif 000009